(57)【要約】【課題】  再生時に検出されるストリーム中のシーンチェンジ点及び使用者によるスキャン動作命令を利用して、使用者によるヴァーチャルプレイリスト生成を記録再生装置が支援する。【解決手段】  ＣＰＵ３と、ピックアップ４と、デコーダー２と、メモリー部５と、リモコン受信部６とから構成され、デコーダー２は再生中常にストリーム内容を解析し、シーンチェンジ点を検出するとその点の時間情報をＣＰＵ３に送り、ＡＶストリーム再生時に検出されるストリームのシーンチェンジ点近傍においてスキャン動作が行われた際、そのスキャン動作開始地点近傍のシーンチェンジ点及びスキャン動作終了地点に挟まれた区間をオリジナルプレイリストからの部分削除候補区間として保存し、再生終了後ヴァーチャルプレイリスト生成画面において保存した区間を部分削除候補区間として画面上に出力する。【選択図】      図３
2006191317.tif 000002
【特許請求の範囲】
【請求項１】
当該記録再生装置をコントロールするＣＰＵと、記録媒体からデータを読み取る読取手段と、前記記録媒体からのＡＶストリームをデコードしモニターに出力するデコーダーと、前記デコーダーにより検出された前記ＡＶストリームのシーンチェンジ点を通過した後のスキャン動作開始地点及び終了地点を記憶するメモリー部と、リモコンによる命令を受信するリモコン受信部とを備え、
前記デコーダーは再生中常にＡＶストリームの内容を解析し、前記シーンチェンジ点を検出するとその点の時間情報を前記ＣＰＵに送り、
前記ＣＰＵは、ＡＶストリーム再生時に前記デコーダーによって検出されたストリームのシーンチェンジ点近傍においてスキャン動作が行われた際、そのスキャン動作開始地点近傍のシーンチェンジ点及びスキャン動作終了地点に挟まれた区間をオリジナルプレイリストからの部分削除候補区間として前記メモリー部に保存し、再生終了後ヴァーチャルプレイリスト生成画面において保存した区間を部分削除候補区間として画面上に出力することを特徴とする記録再生装置。
【発明の詳細な説明】
【技術分野】
【０００１】
本発明は、例えばＢＤレコーダーのような映像・音声の記録再生可能な記録再生装置であって、使用者の視聴方法に応じ、使用者によるオリジナルプレイリストからのヴァーチヤルプレイリスト生成を支援する記録再生装置に関するものである。
【背景技術】
【０００２】
従来の記録再生装置では、個人が娯楽用に記録した放送番組のオリジナルプレイリストからヴァーチャルプレイリストを生成する際に、その処理を支援する手段が存在せず、使用者がヴァーチャルプレイリスト生成用画面においてフレーム単位や時間単位で部分削除区間を選択する必要があり、編集作業に時間がかかる問題点があった。
【特許文献１】特開２００２−８４４９５号公報
【発明の開示】
【発明が解決しようとする課題】
【０００３】
本発明は、上述のような従来の技術的課題に鑑みてなされたものであり、検出されたＡＶストリーム中のシーンチェンジ点及び使用者によるスキャン動作命令を利用して、使用者によるヴァーチャルプレイリスト生成を支援する記録再生装置を提供することを目的とする。
【課題を解決するための手段】
【０００４】
請求項１の発明の記録再生装置は、当該記録再生装置をコントロールするＣＰＵと、記録媒体からデータを読み取る読取手段と、前記記録媒体からのＡＶストリームをデコードしモニターに出力するデコーダーと、前記デコーダーにより検出された前記ＡＶストリームのシーンチェンジ点を通過した後のスキャン動作開始地点及び終了地点を記憶するメモリー部と、リモコンによる命令を受信するリモコン受信部とを備え、前記デコーダーは再生中常にＡＶストリームの内容を解析し、前記シーンチェンジ点を検出するとその点の時間情報を前記ＣＰＵに送り、前記ＣＰＵは、ＡＶストリーム再生時に前記デコーダーによって検出されたストリームのシーンチェンジ点近傍においてスキャン動作が行われた際、そのスキャン動作開始地点近傍のシーンチェンジ点及びスキャン動作終了地点に挟まれた区間をオリジナルプレイリストからの部分削除候補区間として前記メモリー部に保存し、再生終了後ヴァーチャルプレイリスト生成画面において保存した区間を部分削除候補区間として画面上に出力することを特徴とするものである。
【発明の効果】
【０００５】
本発明によれば、ＡＶコンテンツのヴァーチャルプレイリスト生成が簡単に行える。
【発明を実施するための最良の形態】
【０００６】
以下、本発明の実施の形態を図に基づいて詳説する。図１は、本発明の１つの実施の形態の記録再生装置のブロック図である。記録再生装置１の本体内には当該記録再生装置１をコントロールするＣＰＵ３、記録媒体７からデータを読み取る読取手段としてのピックアップ４、記録媒体７からのＡＶストリームをデコードしモニター９に出力するためのデコーダー２、デコーダー２により検出されたシーンチェンジ点通過後のスキャン動作開始地点及び終了地点の記憶用領域であるメモリー部５、及び使用者のリモコン８による命令を受信するリモコン受信部６が備えられている。デコーダー２は再生中常にストリーム内容を解析し、シーンチェンジ点を検出するとその点の時間情報をＣＰＵ３に送る働きをする。
【０００７】
図２は記録媒体７から読み出されるＡＶストリーム１１及びプレイリスト１０の関係を示す。１２はシーンチェンジが発生した点を示し、１３はシーンチェンジ点１２の後のある一定時間の経過した点、１４はスキャン再生開始地点、１５はスキャン再生終了地点を示す。
【０００８】
図３は本発明の実施の形態の記録再生装置の処理工程のフローチャートである。リモコン８より使用者が再生命令を発行すると、リモコン受光部６を通してＣＰＵ３に命令が伝達され、再生処理を開始する（ステップＳ１）。ＣＰＵ３はディスク７よりプレイリスト１０のデータをピックアップ４を通して読み出し、この情報に従ってＡＶストリーム１１を同様にディスク７から読み出してデコーダー２に送り、モニター９に出力する。デコーダー２はシーンチェンジ点１２を検出すると（ステップＳ２）、その情報をＣＰＵ３に送り、ＣＰＵ３はこの点１２の時間情報ＴＸをメモリー５ａに保存する（ステップＳ３）。
【０００９】
この点以降の一定時間α以内にスキャン命令（ＳＸ）１４がリモコン８より入力されなかった場合（ステップＳ４）、次に検出されたシーンチェンジ点が検出されるたびにその時間情報ＴＸをメモリー５ａに更新し続ける（ステップＳ２〜Ｓ４）。一方、α時間以内にスキャン命令（ＳＸ）１４がなされた場合、ＣＰＵ３は次に検出されたシーンチェンジ点の時間情報ＴＸ´を部分削除候補区間として保存するために時間情報保存領域をメモリー５ｂに切り替える（ステップＳ４でＹＥＳに分岐）。
【００１０】
スキャン動作が終了するとその点の時間情報ＴＸ´をメモリー５ｂに保存し（ステップＳ５）、メモリー５ａ、メモリー５ｂに保存された時間情報をメモリー５ｃに蓄積する（ステップＳ７）。以降、再生が継続される場合、以上の動作を繰り返す（ステップＳ２〜Ｓ８）。
【００１１】
再生終了後、メモリー５ｃに蓄積されたデータを基に編集画面を表示し、使用者によってスキャン命令Ｓ０〜ＳＸが出された各区間を部分削除候補区間として画面上に出力する（ステップＳ９）。この時、使用者がヴァーチャルプレイリスト作成を望まない場合、メモリー５ｃに蓄積したデータは破棄し（ステップＳ１０でＮＯに分岐）、望む場合、ステップＳ１０でＹＥＳに分岐し、メモリー５ｃに蓄積したデータを基に編集作業に移り（ステップＳ１１、Ｓ１２）、編集が完了すれば、その結果からヴァーチャルプレイリストを作成する（ステップＳ１３）。
【００１２】
このようにして、本実施の形態の記録再生装置によれば、ヴァーチャルプレイリスト生成が簡単に行える。
【００１３】
なお、上記実施の形態では記録媒体としてＤＶＤ、読取手段としてピックアップを例示したが、これに限らず、記録媒体にはＤＶＤハードディスク、ハードディスク単体を使用し、読取手段にはＤＶＤ用にピックアップ、ハードディスク用にスライダヘッドを使用することができる。
【図面の簡単な説明】
【００１４】
【図１】本発明の実施の形態の記録再生装置を示すブロック図。
【図２】図１の記録媒体から読み出されるＡＶストリーム及びプレイリスト。
【図３】本発明の実施の形態の処理工程を示すフローチャート。
【符号の説明】
【００１５】
１  記録再生装置
４  ピックアップ
７  記録媒体
１０  プレイリスト
１１  ＡＶストリーム
１２  シーンチェンジ点
１３  スキャン動作待ち区間
１４  スキャン動作開始地点
１５  スキャン動作終了地点
【図１】
2006191317.tif 000003
【図２】
2006191317.tif 000004
【図３】
2006191317.tif 000005